(57)【要約】【課題】円形状に切断する円の径を容易に変更することができるとともに、作業者の不注意によって切断対象物を傷つけることを防止することができるサークルカッターを提供するものである。【解決手段】平板状の切断対象物を円形状に切断するサークルカッター１０において、サークルカッター１０は、本体部２０と、本体部２０を垂直軸回りに回動自在に支持する支持部３０と、本体部２０に、本体部２０に沿って、垂直軸の軸方向に対する垂直方向に移動可能に設けられた移動部４０とからなり、支持部３０は、本体部２０の上方に位置する押え部３１と、本体部２０の下方に位置する台座部３２と、本体部２０を軸支する枢軸３３とを備え、移動部４０は、切断対象物を切断する刃部４１と、移動部４０を本体部２０に固定する固定部４４とを備える。【選択図】図１
2014161939.tif 000002
【特許請求の範囲】
【請求項１】
平板状の切断対象物を円形状に切断するサークルカッターにおいて、
前記サークルカッターは、本体部と、
前記本体部を垂直軸回りに回動自在に支持する支持部と、
前記本体部に、該本体部に沿って、前記垂直軸の軸方向に対する垂直方向に移動可能に設けられた移動部とからなり、
前記支持部は、前記本体部の上方に位置する押え部と、
前記本体部の下方に位置する台座部と、
前記本体部を軸支する枢軸とを備え、
前記移動部は、前記切断対象物を切断する刃部と、該移動部を前記本体部に固定する固定部とを備えることを特徴とする、サークルカッター。
【請求項２】
前記台座部は、第１載置部と、該第１載置部から下方に突出し、平面視外形が該第１載置部の外形より小さい第２載置部とを備えることを特徴とする、請求項１に記載のサークルカッター。
【請求項３】
前記本体部は、スケールを備えることを特徴とする、請求項１または２に記載のサークルカッター。
【発明の詳細な説明】
【技術分野】
【０００１】
本発明は、平板状の切断対象物を円形状に切断するサークルカッターに関する。
【背景技術】
【０００２】
従来のサークルカッターには、円盤形状の固定板の上面に円柱形状の本体を回動自在に設け、この円柱形状の本体側面に切刃を備えるものがある（例えば、特許文献１）。特許文献１に記載のサークルカッターは、切断対象物の上に固定板を載置することで切断対象物を押え、円柱形状の本体を回動させることにより、本体側面に備える切刃で切断対象物を円形状に切断するものである。また、矩形状の本体と、この矩形状の本体の長辺に沿って移動可能に設けられた移動体と、移動体に設けられた下部に針状体を有する軸座体と、本体に設けられた刃体と、移動体に設けられた本体を回動自在に支持する支持手段とから構成されるものがある（例えば、特許文献２）。特許文献２に記載のサークルカッターは、切断対象物の上に軸座体を載置することで切断対象物を押え、矩形状の本体を回動させることにより、本体に設けられた刃体で切断対象物を円形状に切断するものである。
【先行技術文献】
【特許文献】
【０００３】
【特許文献１】実開昭６１−３９３９３号公報
【特許文献２】特開２００９−２４７６４０号公報
【発明の概要】
【発明が解決しようとする課題】
【０００４】
しかしながら、特許文献１に記載のサークルカッターは、円形状に切断する円の径を変更する際、円柱形状の本体を変える必要があり、円形状に切断する円の径を容易には変更できない。また、特許文献２に記載のサークルカッターは、切断対象物を押える軸座体に針状体を有している。この針状体は、切断対象物に突き刺して本体の回動中心がずれるのを防止するものであり、軸座体の下部から針状体の先端の出し入れが可能な構造となっている。しかし、作業者の不注意により、誤って軸座体の下部から針状体の先端が突出した状態で切断対象物の上に軸座体を載置し、切断対象物に不必要な穴等の傷をつけてしまうことがある。そこで、この発明の目的は、円形状に切断する円の径を容易に変更することができるとともに、作業者の不注意によって切断対象物を傷つけることを防止することができるサークルカッターを提供するものである。
【課題を解決するための手段】
【０００５】
このため、請求項１に記載の発明は、平板状の切断対象物を円形状に切断するサークルカッターにおいて、
前記サークルカッターは、本体部と、
前記本体部を垂直軸回りに回動自在に支持する支持部と、
前記本体部に、該本体部に沿って、前記垂直軸の軸方向に対する垂直方向に移動可能に設けられた移動部とからなり、
前記支持部は、前記本体部の上方に位置する押え部と、
前記本体部の下方に位置する台座部と、
前記本体部を軸支する枢軸とを備え、
前記移動部は、前記切断対象物を切断する刃部と、該移動部を前記本体部に固定する固定部とを備えることを特徴とする。
【０００６】
請求項２に記載の発明は、請求項１に記載のサークルカッターにおいて、
前記台座部は、第１載置部と、該第１載置部から下方に突出し、平面視外形が該第１載置部の外形より小さい第２載置部とを備えることを特徴とする。
【０００７】
請求項３に記載の発明は、請求項１または２に記載のサークルカッターにおいて、
前記本体部は、スケールを備えることを特徴とする。
【発明の効果】
【０００８】
請求項１に記載の発明によれば、平板状の切断対象物を円形状に切断するサークルカッターにおいて、前記サークルカッターは、本体部と、前記本体部を垂直軸回りに回動自在に支持する支持部と、前記本体部に、該本体部に沿って、前記垂直軸の軸方向に対する垂直方向に移動可能に設けられた移動部とからなり、前記支持部は、前記本体部の上方に位置する押え部と、前記本体部の下方に位置する台座部と、前記本体部を軸支する枢軸とを備え、前記移動部は、前記切断対象物を切断する刃部と、該移動部を前記本体部に固定する固定部とを備えるので、円形状に切断する円の径を容易に変更することができるとともに、作業者の不注意によって切断対象物を傷つけることを防止することができるサークルカッターを提供することができる。
【０００９】
請求項２に記載の発明によれば、前記台座部は、第１載置部と、該第１載置部から下方に突出し、平面視外形が該第１載置部の外形より小さい第２載置部とを備えるので、切断対象物が中空または凹部を有する場合でも、第２載置部を中空または凹部に填めることで、中空または凹部に中心が位置する円形状に切断対象物を切断することが可能である。
【００１０】
請求項３に記載の発明によれば、前記本体部は、スケールを備えるので、切断する円の径を容易に調節することでき、切断作業がさらに容易となる。
【図面の簡単な説明】
【００１１】
【図１】この発明のサークルカッターの一例を示す斜視図である。
【図２】図１におけるサークルカッターの正面図である。
【図３】図１におけるサークルカッターの平面図である。
【図４】図１におけるサークルカッターの底面図である。
【図５】図３におけるサークルカッターのＡ−Ａ線断面図である。
【図６】図３におけるサークルカッターのＢ−Ｂ線断面図である。
【図７】図３におけるサークルカッターのＣ−Ｃ線断面図である。
【発明を実施するための形態】
【００１２】
以下、図面を参照しつつ、本発明を実施するための最良の形態について詳述する。図１はこの発明のサークルカッターの一例を示す斜視図であり、図２は図１におけるサークルカッターの正面図であり、図３は図１におけるサークルカッターの平面図であり、図４は図１におけるサークルカッターの底面図である。サークルカッター１０は、本体部２０と、支持部３０と、移動部４０などから構成されている。
【００１３】
本体部２０は、平面視左右方向に長尺な矩形状の天板２１と、天板２１の前後一対の長辺に沿って下方に向けて垂設された前側板２２および後側板２３と、左側端部に設けられた軸受部２４などで構成される。天板２１には、天板２１の長辺に沿って長尺であり、垂直方向に貫通する貫通穴２５が形成されている。図５に示すように、軸受部２４は、垂直方向に貫通する軸支穴２６と底面２７とを有し、後述する支持部３０に設けられた枢軸３３を軸支穴２６によって軸支するものであり、本体部２０を枢軸３３を中心として水平方向に回動自在とするものである。なお、軸受部２４は、本体部２０を水平方向に回動自在とするものであればよく、上述の形状に限定されるものではなく、例えば、右側端部に設けられるものであってもよい。また、本体部２０は、後述する移動部４０を、本体部２０に沿って、本体部２０の回動軸である枢軸３３の軸方向に対する垂直方向に移動可能とするものであればよく、上述の形状に限定されるものではい。例えば、本体部２０の外形が平面視円形状や楕円形状などであってもよい。
【００１４】
支持部３０は、本体部２０の上方に位置する押え部３１と、本体部２０の下方に位置する台座部３２と、本体部２０を軸支する枢軸３３などで構成される。押え部３１は、円筒形状であり、上端部には径方向に突出した突出部３４を有し、枢軸３３の上端部にナットによって固定されている。なお、押え部３１の枢軸３３への固定は上述の構成に限定されるものではなく、例えば、接着剤による固定や、押え部３１に雌螺子を設けるとともに枢軸３３の上端部に雄螺子を設けた螺子構造による固定であってもよい。また、押え部３１は、上述の形状に限定されるものではなく、例えば、突出部３４を有さない形状や四角筒形状などであってもよく、外面に滑り止めに用いるローレットを設けたものであってもよい。
【００１５】
台座部３２は、第１載置部３５と、第２載置部３６などで構成される。第１載置部３５は、円板形状であり、枢軸３３の下端部にワッシャーを介してナットによって固定されており、第１載置部３５の中心に枢軸３３が位置している。第２載置部３６は、第１載置部３５よりも小さい径の円板形状であり、第１載置部３５の底部に、第１載置部３５と同心円に位置するように設けられている。ここで、第１載置部３５の底部には、底面視円形状の凹部３７が複数設けられており、凹部３７の上端部には、径方向に拡大した空間の受部が形成されている。第２載置部３６の天部には、円柱形状の凸部３８が複数垂設けられており、凸部３８の上端部には、径方向に突出した突起部が形成されている。第２載置部３６の凸部３８を第１載置部３５の凹部３７に挿入し、凸部３８の突起部が凹部３７の受部に嵌合することで、第２載置部３６は第１載置部３６に着脱自在に設けられている。なお、第２載置部３６は第１載置部３５に着脱自在に設けられていればよく、その構成は上述に限定されるものではない。また、第１載置部３５の枢軸３３との固定は、第１載置部３５の底部に設けられた凹部３９内において、ナットによって固定されている。したがって、第１載置部３５の底部から下方に向けて突出した部材（ナットや枢軸３３の下端部）がない構成となっている。なお、第１載置部３５は、枢軸３３の下端部に固定されていればその構成は上述に限定されるものではなく、例えば、接着剤などによる固定であってもよい。
【００１６】
なお、台座部３２は、切断対象物上に載置する際の載置面を有する構成であればよく、上述の構成に限定されない。例えば、第２載置部３６を有さない構成であってもよい。また、第１載置部３５および第２載置部３６は、底面視四角形状や三角形状であってもよく、特に限定されるものではない。
【００１７】
枢軸３３は、本体部２０の軸受部２４に形成された軸支穴２６に貫設され、本体部２０を枢軸３３を中心として水平方向に回動自在とする。本体部２０は、枢軸３３の外周面と軸支穴２６を形成する内周面、ワッシャーの天面と軸受部２４の底面２７とが接触しながら回動する。上述のような接触面を形成するため、ガタを抑えて本体部２０をスムースに回動させることが可能である。なお、本体部２０を回動させる構成は、本体部２０を垂直軸回りに回動自在とするものであれば上述の構成に限定されるものではなく、例えば、軸受部２４に形成された軸支穴２４に代わって、断面Ｃ字状の軸受けとする構成であってもよく、ベアリングを用いた回動やボールジョイントなどによる回動であってもよい。
【００１８】
また、枢軸３３は、本体部を貫通し、上端部に押さ部３１を備え、下端部に台座部３２を備える構成であるため、後述する切断対象物を円形状に切断する際の切断対象物と支持部３０の作業台の固定時において、押え部３１を上方から押圧した力が分散することなく台座部３２に伝わり、確実に固定することが可能である。
【００１９】
図６、図７に示すように、移動部４０は、刃部４１と、上部体４２と、下部体４３と、固定部４４と、軸４５などで構成される。上部体４２は、円柱形状の上端部が径方向に突出した突出部４６を有する形状であり、軸４５の上端部に回動自在に設けられている。軸４５の上端部に径方向に突出した突出部を設け、上部体４２の底部から上方に向けて設けられた凹部内に軸４５の上端部を内挿し、抜け止め部材４７によって突出部を挟み込むことにより、上部体４２は、軸４５の上端部に回動自在に設けられた構成となっている。上部体４２と抜け止め部材４７とは螺子構造によって連結されている。なお、上部体４２は、軸４５の上端部に回動自在に設けられていれば上述の構成に限定されるものではなく、例えば、突出部４６を有さない形状や四角柱形状などであってもよく、外面に滑り止めに用いるローレットを設けた形状であってもよい。
【００２０】
下部体４３は、平面視前後方向の幅Ｗが本体部２０の前側板２２と後側板２３間の幅と略同一である四角柱の天部に、本体部２０の貫通穴２５の前後方向の幅より小さい径の円柱を設けた形状である。下部体４３は、円柱の天部から下方に向かって雌螺子を設けるとともに軸４５の下端部に雄螺子を設けた螺子構造によって、軸４５の下端部に固定されている。なお、下部体４３は、軸４５の下端部に固定されていれば上述の構成に限定されるものではなく、例えば、接着剤などによる固定であってもよい。また、下部体４３は、円柱の外周面には雄螺子が設けられており、この雄螺子と嵌合する雌螺子を円筒の内周面に設けた固定部４４を備える。固定部４４の外周面には滑り止めに用いるローレットが設けられている。
【００２１】
また、下部体４３は、右側部に切断対象物を切断する刃部４１を備える。右側部には、溝部が設けられており、その溝部に刃部４１の上部が嵌合している。刃部４１の下部は、刃先であり、下部体４３の底部より下方に突出している。刃部４１は、上部を取り付け部材を介して下部体４３にボルトで固定されている。刃部４１の上部を溝部に嵌合させて固定しているので、刃部４１を下部体４３に強固に固定することができ、切断対象物を切断する際の刃部４１のずれやガタを防止することができる。また、刃部４１の取り付け位置は、後述する移動部４０を本体部２０に取り付けた状態において、枢軸３３の中心を通るとともに本体部２０の長辺と平行な直線５０上に刃部４１の刃先が位置するように取り付けられている。なお、刃部４１は、上述の構成に限定されるものではなく、下部体４３に固定ができるとともに刃先が下部体４３の底部より下方に突出するものであればよく、市販のカッター刃を用いることもでき、外周に刃を有する円板形状のものを下部体４３に回動自在に取り付けた構成であってもよい。
【００２２】
移動部４０は、本体部２０の前側板２２と後側板２３との間に下部体４３の四角柱が位置し、本体部２０の貫通穴２５に下部体４３の円柱が挿通し、四角柱の天部と固定部４４の間に本体部２０の天板２１が位置する状態で本体部２０に取り付けられる。移動部４０は、本体部２０の前側板２２と後側板２３をガイドとして、本体部２０の長辺に沿って移動可能である。また、移動部４０は、固定部４４を締め付けることよって、本体部２０に固定することが可能である。なお、移動部４０は、本体部２０に沿って、本体部２０の回動軸である枢軸３３の軸方向に対する垂直方向に移動可能であり、本体部２０に固定することが可能である構成であればよく、上述の構成に限定されるものではない。例えば、モータなどの動力源によって移動部４０が所望の位置まで移動可能である構成であってもよい。
【００２３】
ここで、サークルカッター１０を構成する、本体部２０、押え部３１、台座部３２の第１載置部３５および第２載置部３６、刃部４１と、上部体４２と、下部体４３と、固定部４４などの材質は特に限定されるものではない。例えば、本体部２０は、ステンレスなどから形成され、押え部３１、上部体４２、下部体４３、固定部４４は、鉄などから形成され、第１載置部３５、第２載置部３６は、ゴムシートなどから形成されるものであってもよい。
【００２４】
また、図２に示すように、本体部２０の前側板２２の外面に、支持部３０の枢軸３３の中心をゼロとするスケール２８を備える構成としてもよい。なお、スケール２８は、枢軸３３の中心をゼロとするスケールであればよく、例えば、本体部２０の天板２１や後側板２３の外面に設けてもよい。このような構成にすることで、枢軸３３の中心から刃部４１までの距離が容易に測定できるため、このスケール２８を見ながら移動体４０を移動させ、枢軸３３の中心から刃部４１までの距離を所望の距離にすることが容易になる。したがって、切断する円の径を調節することが容易に行え、切断作業がさらに容易となる。さらには、刃部４１の位置を示す突起を移動体４０に設け、この突起とスケール２８とを用いて、刃部４１までの距離を所望の距離にする構成としてもよい。
【００２５】
また、サークルカッター１０のサイズは、本体部２０の長辺の長さが２００〜１５００ｍｍ、短辺の長さが２０〜１００ｍｍ、高さが１０〜３０ｍｍ程度であり、第１載置部の直径が１００〜５００ｍｍ、厚みが３〜１５ｍｍ程度であり、第２載置部の直径が３０〜３００ｍｍ、厚みが３〜１５ｍｍ程度であり、第２載置部の底部と押え部４０の上端までの距離が、２０〜８０ｍｍ程度であるが、特に限定されるものではない。
【００２６】
また、サークルカッター１０によって円形状に切断する切断対象物は、平板状であり、刃部８０によって切断可能なものであれば特に限定されるものではなく、例えば、ボール紙や段ボールなどの紙、樹脂製のシート、布地、木材などであってもよい。
【００２７】
次に、図１〜図７に示す本願発明のサークルカッター１０を用いた切断対象物の切断方法について詳述する。円形状の貫通穴が形成された切断対象物としての段ボールを作業台に載置する。枢軸３３の中心から刃部４１までの距離が所望の切断円の半径と同じになるように移動部４０を移動させ、固定部４４によって移動部４０を本体部２０に固定する。段ボールの円形状の貫通穴に嵌合する第２載置部３６を適宜第１載置部３５の底部に取り付け、この第２載置部３６を段ボールの円形状の貫通穴に上方から嵌合させる。一方の手で押え部３１を上方から押圧し、段ボールと支持部３０を作業台に固定する。詳しくは、第２載置部３６の底部が作業台に接地するとともに、第１載置部３５が段ボールの上面と接地することにより、段ボールと支持部３０は作業台に固定される。なお、押え部３１には、突出部３４が設けられてられているので把持が容易であり、安定して作業台に固定することができる。ここで、刃部４１は段ボールと接触している。
【００２８】
上述の状態において、他方の手で移動部４０の上部体４２を把持し、本体部２０を枢軸３３を回動中心として回動させると、刃部４１によって、円形状の貫通穴が形成された段ボールを、この貫通穴と同心円であるとともに所望の直径である円形状に切断することができる。ここで、上部体４２には、突出部４６が設けられてられているので把持が容易である。さらに、上部体４２は、軸４５の上端部に回動自在に設けられており、移動部４０を本体部２０に固定した状態では、上部体４２は、本体部２０に対して回動自在である。したがって、上部体４２を把持して本体部２０を枢軸３３を回動中心として回転させる際、上部体４２は本体部２０に対して回動自在であり、上部体４２の把持（手の握り）を変更することなく本体部２０を１回転することができ、切断対象物である段ボールを容易に円形状に切断することが容易である。
【００２９】
なお、上述では、円形状の貫通穴が形成された段ボールを切断対象物としたが、その貫通穴の径や形状は特に限定されるものではない。貫通穴の形状に合わせて第２載置部３６の形状を適宜変更することより、段ボールの貫通穴が種々の形状の貫通穴であっても、段ボールを、貫通穴に中心が位置する所望の直径の円形状に切断することができる。また、貫通穴が凹部のものであっても、同様に第２載置部３６を嵌合させることで、第２載置部３６の底部が凹部の底部に接地するとともに、第１載置部３５が段ボールの上面と接地することにより、段ボールと支持部３０は作業台に固定されるため、段ボールを、凹部に中心が位置する所望の直径の円形状に切断することができる。また、切断対象物に貫通穴や凹部がなくてもよい。第２載置部３６は第１載置部３５に着脱自在となっているので、第２載置部３６を取り外し、第１載置部３５の底部を切断対象物の上面に載置し、上述と同様に切断すれば、切断対象物を所望の直径の円形状に切断することができる。
【実施例１】
【００３０】
図１〜図７に示す構成のサークルカッター１０であって、本体部２０は、ステンレスで形成され、押え部４０、上部体４２、下部体４３、固定部４４は、鉄から形成され、第１載置部３５および第２載置部３６は、ゴムシートから形成されるサークルカッター１０を用いる。厚みが５ｍｍ、直径１５０ｍｍの貫通穴が形成された段ボールを切断対象物とし、上述の方法によって、段ボールを、貫通穴と同心円であり直径が７００ｍｍの円形状に切断した。ここで、サークルカッター１０のサイズは、本体部２０の長辺の長さが１０００ｍｍ、短辺の長さが６０ｍｍ、高さが２０ｍｍ、第１載置部の直径が３００ｍｍ、厚みが５ｍｍ、第２載置部の直径が１５０ｍｍ、厚みが５ｍｍである。その結果、段ボールを、貫通穴と同心円であり直径が７００ｍｍの円形状に容易に切断することができた。
【符号の説明】
【００３１】
１０  サークルカッター
２０  本体部
３０  支持部
３１  押え部
３２  台座部
３３  枢軸
４０  移動部
４１  刃部
４４  固定部
【図１】
2014161939.tif 000003
【図２】
2014161939.tif 000004
【図３】
2014161939.tif 000005
【図４】
2014161939.tif 000006
【図５】
2014161939.tif 000007
【図６】
2014161939.tif 000008
【図７】
2014161939.tif 000009